【手続補正書】
【提出日】平成17年6月23日(2005.6.23)
【手続補正１】
【補正対象書類名】特許請求の範囲
【補正対象項目名】全文
【補正方法】変更
【補正の内容】
【特許請求の範囲】
【請求項１】
生砂鋳型を製造する生砂鋳物工場の操作に必要な初生砂の量を減少するためのプロセスであって、該鋳物工場はまた、バッグハウスダストおよび鋳造廃棄物の形態にて鋳物工場廃棄物を生じ、該プロセスは、以下の工程：
第１液圧分離工程における該バッグハウスダストのスラリーを液圧分離して、該バッグハウスダスト中の砂の少なくとも約４０％を含むアンダーフロー流、および該バッグハウスダスト中のベントナイト粘土の少なくとも約６０％を含む水性オーバーフロー流を生成する工程、ならびに
該アンダーフロー流における該砂を再利用して、さらなる生砂鋳型を作製する工程、
を包含する、プロセス。
【請求項２】
請求項１に記載のプロセスであって、前記アンダーフロー流における前記砂は、粗い砂生成物であり、該粗い砂生成物は、該粗い砂生成物中の砂の少なくとも８０％が、少なくとも約６０ミクロンの粒子サイズを有する点で特徴付けられる、プロセス。
【請求項３】
請求項１に記載のプロセスであって、前記水性オーバーフロー流はまた、前記バッグハウスダストに存在する有機添加物の少なくとも２０％を含む、プロセス。
【請求項４】
請求項１に記載のプロセスであって、前記スラリーは、重力または遠心力により分離される、プロセス。
【請求項５】
請求項４に記載のプロセスであって、前記スラリーは、遠心力により分離される、プロセス。
【請求項６】
請求項１に記載のプロセスであって、前記スラリーにおける水  対  バッグハウスダストの重量比が、少なくとも１０：１である、プロセス。
【請求項７】
請求項１に記載のプロセスであって、さらに以下の工程：
第２液圧分離工程において前記水性オーバーフロー流を分離して、前記バッグハウスダスト中の前記ベントナイト粘土の少なくとも約６０％および前記バッグハウスダスト中の前記砂の約５％以下を含む流出流を生成する工程、ならびに
該流出流を再利用して、さらなる生砂鋳型を作製する工程、
を包含する、プロセス。
【請求項８】
請求項７に記載のプロセスであって、前記オーバーフロー流における前記砂は、細かな砂生成物であり、該細かな砂生成物は、該細かな砂生成物中の砂の少なくとも約８０％が、約２０ミクロン未満の粒子サイズを有するという点で特徴付けられる、プロセス。
【請求項９】
請求項８に記載のプロセスであって、前記アンダーフロー流における前記生砂は、粗い生砂生成物であり、該粗い生砂生成物は、該粗い生砂生成物中の砂の少なくとも８０％が、少なくとも約６０ミクロンの粒子サイズを有するという点で特徴付けられる、プロセス。
【請求項１０】
請求項９に記載のプロセスであって、前記スラリーは、前記粗い砂生成物から前記細かい砂生成物および前記ベントナイト粘土が差示的に沈殿する速度を増大させ、その結果、該細かい砂生成物および該ベントナイト粘土が別々に回収され得ることにより分離される、
プロセス。
【請求項１１】
請求項７に記載のプロセスであって、前記スラリーは、重力または遠心力により分離される、プロセス。
【請求項１２】
請求項１１に記載のプロセスであって、前記スラリーは、遠心力により分離される、プロセス。
【請求項１３】
請求項１に記載のプロセスであって、さらに以下の工程：
前記アンダーフロー流における前記砂を再利用する前に、該アンダーフロー流から、前記バッグハウスダスト中の水および少なくとも約１重量％のベントナイト粘土を含む
液体画分を分離して、さらなる生砂鋳型を作製する工程、
を包含する、プロセス。
【請求項１４】
請求項１に記載のプロセスであって、前記バッグハウスダストは、重量で、約４０％〜約７０％の砂および約２０％〜約５０％のベントナイト粘土を含む、プロセス。
【請求項１５】
請求項１に記載のプロセスであって、さらに以下の工程：
前記鋳造廃棄物を、より軽い画分およびより重い画分に機械的に分離する工程、ならびに
前記スラリーが前記第１液圧分離工程に供される場合、ハウスダストバッグの該スラリー中に該より軽い画分を含める工程、
を包含する、プロセス。
【請求項１６】
請求項１５に記載のプロセスであって、前記生砂鋳物工場が、生砂鋳型に加えて、鋳型コアを作製し、さらに前記鋳造廃棄物のより重い画分は、鋳型コアを作製するために再利用される、プロセス。
【請求項１７】
生砂鋳物工場により生成される鋳物工場廃棄物から、砂、ベントナイト粘土および有機添加物を回収するためのプロセスであって、該鋳造廃棄物は、バッグハウスダストおよび鋳造廃棄物から形成され、該プロセスは、以下の工程：
該バッグハウスダストの水性スラリーを形成する工程、
第１液圧分離工程において該スラリーを、該バッグハウスダストにおいて最初にあったベントナイトの少なくとも６０％を含むオーバーフロー流、および該バッグハウスダストにおける該砂の少なくとも６０％を含むアンダーフロー流に液圧分離する工程、
第２液圧分離工程において該オーバーフロー流を液圧分離して、該バッグハウスダストにおいて水および約５％未満の砂を含む流出流を生成する工程、ならびに、
生砂鋳型を作製するために、該アンダーフロー流における該砂ならびに該流出流における該ベントナイト粘土および有機添加物を再利用する工程、
を包含する、プロセス。
【請求項１８】
生砂鋳型および鋳型コアの製造において、生砂鋳物工場において使用される砂、ベントナイト粘土および有機添加物を再利用するためのプロセスであって、該鋳物工場はまた、接着剤でコーティングされた砂から形成される鋳造廃棄物を生成し、該プロセスは、以下の
工程：
接着剤を、該砂粒子から機械的に除去して、より軽い画分およびより重い画分を生成する工程、
該より軽い画分を水と合わせて、スラリーを生成する工程、
第１液圧分離工程において該スラリーを、該より軽い画分において最初にあった該ベントナイト粘土の少なくとも６０％を含む水性オーバーフロー流、および該より軽い画分における該砂の少なくとも４０％を含むアンダーフロー流に液圧分離する工程、
第２液圧分離工程において該水性オーバーフロー流を液圧分離して、最大約５％の該砂および該より軽い画分において最初にあった該ベントナイト粘土の少なくとも６０％を含む流出流を生成する工程、
該アンダーフロー流における該砂および該流出流における該ベントナイト粘土を再利用して、生砂鋳型を作製する工程、ならびに
該より重い画分を再利用して、鋳型コアを作製する工程、
を包含する、プロセス。
【請求項１９】
請求項１８に記載のプロセスであって、前記より重い画分は、前記鋳造廃棄物中の前記砂の約３０％〜９０％を含む、プロセス。
【請求項２０】
請求項１８に記載のプロセスであって、前記より重い画分における砂は、約０．５未満のＡＦＳ粘土を有する、プロセス。
【請求項２１】
生砂鋳型および鋳型コアの製造において、生砂鋳物工場において使用される、砂、ベントナイト粘土および有機添加物を再利用するためのプロセスであって、該鋳物工場はまた、
接着剤でコーティングされた砂から形成される鋳造廃棄物、ならびに砂およびベントナイト粘土を含むバッグハウスダストを生成し、該プロセスは、以下の工程：
該鋳造廃棄物の砂粒子から接着剤を機械的に除去して、より軽い画分およびより重い画分を生成する工程、
該より軽い画分および該バッグハウスダストを、水と合わせてスラリーを形成する工程、
第１液圧分離工程において該スラリーを、該スラリー中に最初にあったベントナイト粘土の少なくとも６０％を含む水性オーバーフロー流、および該スラリーにおける砂の少なくとも４０％を含むアンダーフロー流に液圧分離する工程、
第２液圧分離工程において該水性オーバーフロー流を液圧分離して、最大約５％の砂および該スラリー中に最初に含まれていた該ベントナイト粘土の少なくとも約６０％を含む流出流を生成する工程、
該アンダーフロー流における該砂および該流出流における該ベントナイト粘土を再利用して、生砂鋳型を作製する工程、ならびに
該より重い画分を再利用して、鋳型コアを作製する工程、
を包含する、プロセス。
【請求項２２】
請求項２１に記載のプロセスであって、前記オーバーフロー流における前記砂は、粗い砂生成物であり、該粗い砂生成物は、該粗い砂生成物における砂の少なくとも８０％が、少なくとも約６０ミクロンの粒子サイズを有する点で特徴付けられる、プロセス。
【請求項２３】
請求項２２に記載のプロセスであって、前記オーバーフロー流における前記砂は、細かい砂生成物であり、該細かい砂生成物は、該細かい砂生成物における砂の少なくとも８０％が、約２０ミクロン未満の粒子サイズを有する点で特徴付けられる、プロセス。